(57)【要約】【課題】  ロック解除ストロークを自在に設定し得るようにする。【解決手段】  開閉装置本体部１０に対し、回転軸１１を中心に回動して開閉可能な蓋部３を取付け、開閉装置本体部１０と蓋部３との間に蓋部３を閉状態に保持可能なロック部１２を設け、ロック部１２が、押圧によってストライカ１３の把持・解放を交互に繰返可能なラッチ装置１４を備え、ラッチ装置１４が開閉装置本体部１０に取付けられると共に、ストライカ１３が蓋部３から延設されて回転軸１１を中心に回動可能な操作アーム１５に取付けられた開閉装置用ロック部構造であって、操作アーム１５とストライカ１３との間に、蓋部３のロック解除ストロークを調整可能なロック解除ストローク調整機構２１を設けるようにしてい。【選択図】        図３
2007270478.tif 000002
【特許請求の範囲】
【請求項１】
開閉装置本体部に対し、回転軸を中心に回動して開閉可能な蓋部を取付け、開閉装置本体部と蓋部との間に蓋部を閉状態に保持可能なロック部を設け、
該ロック部が、押圧によってストライカの把持・解放を交互に繰返可能なラッチ装置を備え、
該ラッチ装置が開閉装置本体部に取付けられると共に、前記ストライカが蓋部から延設されて前記回転軸を中心に回動可能な操作アームに取付けられた開閉装置用ロック部構造において、
前記操作アームとストライカとの間に、蓋部のロック解除ストロークを調整可能なロック解除ストローク調整機構を設けたことを特徴とする開閉装置用ロック部構造。
【発明の詳細な説明】
【技術分野】
【０００１】
この発明は、開閉装置用ロック部構造に関するものである。
【背景技術】
【０００２】
自動車などの車両には、車室内にグローブボックスやドリンクホルダや灰皿などの各種の物入装置が設けられている。このような物入装置には、蓋部を開閉可能に備えた開閉装置が存在する（例えば、特許文献１参照）。
【０００３】
このような開閉装置は、通常、以下のような構成を備えている。即ち、開閉装置本体部に対し、回転軸を中心に回動して開閉可能な蓋部が取付けられている。そして、開閉装置本体部と蓋部との間には、蓋部を閉状態に保持可能なロック部が設けられている。このロック部は、押圧によってストライカの把持・解放を交互に繰返可能なラッチ装置を備えている。このラッチ装置は、開閉装置本体部に取付けられる。また、ストライカは、蓋部から延設されると共に上記した回転軸を中心として回動可能な操作アームの先端部に取付けられる。
【０００４】
そして、蓋部を僅かに押し下げることにより、操作アーム、ストライカを介してラッチ装置が押圧される。この時、ラッチ装置がストライカを把持すると、蓋部にロックがかかる。そして、次に、蓋部を僅かに押し下げると、ラッチ装置がストライカに対する把持を解放し、蓋部のロックが解除される。
【特許文献１】特開２００３−１１８４６７号公報
【発明の開示】
【発明が解決しようとする課題】
【０００５】
しかしながら、上記開閉装置用ロック部構造では、以下のような問題があった。即ち、ラッチ装置は既製品であるため、ラッチ装置の押圧代は予め決められている。一方、蓋部の押込代（蓋部のロック解除ストローク）は、ラッチ装置の押圧代と操作アームの長さとで割出される操作アームの回動角度などによって決まってしまうこととなる。しかし、開閉装置には、設計上必要なロック解除ストロークがあり、ロック解除ストロークが操作アームの回動角度によって決められてしまうことが、設計上の大きな制約となっている。また、開閉装置には、グローブボックスのような大型のものからドリンクホルダや灰皿などのような小型のものまで各種のものが存在しているが、これらに対して使用されるラッチ装置はほぼ同じようなものであるため、ロック解除ストロークの設定にそれぞれ困難を生じている。更に、同一製品であっても、製造上の誤差などから、蓋部のロック解除ストロークにバラ付きが生じることがあり、バラ付きのないロック解除ストロークを得ることが課題とされている。
【課題を解決するための手段】
【０００６】
上記課題を解決するために、請求項１に記載された発明では、開閉装置本体部に対し、回転軸を中心に回動して開閉可能な蓋部を取付け、開閉装置本体部と蓋部との間に蓋部を閉状態に保持可能なロック部を設け、該ロック部が、押圧によってストライカの把持・解放を交互に繰返可能なラッチ装置を備え、該ラッチ装置が開閉装置本体部に取付けられると共に、前記ストライカが蓋部から延設されて前記回転軸を中心に回動可能な操作アームに取付けられた開閉装置用ロック部構造において、前記操作アームとストライカとの間に、蓋部のロック解除ストロークを調整可能なロック解除ストローク調整機構を設けた開閉装置用ロック部構造を特徴としている。
【発明の効果】
【０００７】
請求項１の発明によれば、操作アームに、蓋部のロック解除ストローク調整機構を設けることにより、操作アームの回動角度によらずに蓋部のロック解除ストロークを自在に設定することが可能となる。
【発明を実施するための最良の形態】
【０００８】
ロック解除ストロークを自在に設定し得るようにするという目的を、操作アームに、蓋部のロック解除ストロークを調整可能なロック解除ストローク調整機構を設ける、という手段で実現した。
【実施例】
【０００９】
以下、本発明を具体化した実施例について、図示例と共に説明する。
【００１０】
図１〜図１１は、この発明の実施例を示すものである。
【００１１】
まず、構成を説明すると、図１〜図３に示すように、自動車などの車両には、車室内にグローブボックスやドリンクホルダや灰皿などの各種の物入装置１が設けられている。このような物入装置１には、物入装置本体２に対して蓋部３を開閉可能に備えることにより開閉装置４とされたものが存在する。なお、この実施例では、ドリンクホルダの例となっているが、これに限るものではない。また、このドリンクホルダなどの物入装置本体２は、手前側の物品収納部５と奥側の蓋部収納部６とに部品分割されている。また、蓋部３は、インナ部材７とアウタ部材８とで構成されている（図３参照）。
【００１２】
上記したような開閉装置４は、通常、以下のような構成を備えている。即ち、開閉装置本体部１０（この場合には物入装置本体２となる）の開口部に対し、回転軸１１を中心に回動して開閉可能な蓋部３が取付けられている。そして、開閉装置本体部１０と蓋部３との間には、蓋部３を閉状態に保持可能なロック部１２が設けられている。このロック部１２は、図４に示すように、押圧によってストライカ１３の把持・解放を交互に繰返可能なラッチ装置１４を備えている。このラッチ装置１４は、開閉装置本体部１０に取付けられる。また、ストライカ１３は、蓋部３から延設されて回転軸１１を中心に回動可能な操作アーム１５の先端部に取付けられる。この操作アーム１５は、蓋部３と一体に成形してもよいが、この場合には、蓋部３のインナ部材７とアウタ部材８との間に挟持固定された金属製アーム部材１６の一端側に設けられている。この金属製アーム部材１６の他端側にはダンパ用アーム１７が設けられている。
【００１３】
以上のような基本的構成に対し、この実施例のものでは、図５に示すように、上記操作アーム１５とストライカ１３との間に、蓋部３のロック解除ストロークを調整可能なロック解除ストローク調整機構２１を設ける。
【００１４】
このロック解除ストローク調整機構２１は、上記ストライカ１３を備えると共に上記回転軸１１を中心として回動可能なストライカアーム２２と、上記操作アーム１５とストライカアーム２２とを、ストローク調整分だけ相対的に回動可能な解除ストローク調整部２３と、上記操作アーム１５とストライカアーム２２との間に介装されてストライカアーム２２を復帰方向へ付勢する復帰用弾性部材２４とを備えている。
【００１５】
ここで、上記ストライカアーム２２は、図６に示すように、操作アーム１５に添設および摺接可能な形状とされており、その一端部（この場合は上端部）に回転軸１１に軸支可能な軸穴部２６を有し、他端部（この場合は下端部）に回転軸１１による回転方向に対する接線方向へ延びるストライカ１３を有している。そして、このストライカアーム２２は、（この場合には、ほぼ上下方向に延びる）両側縁部に、操作アーム１５の対応する両側縁部と所要の間隙を有して対峙し操作アーム１５に対する相対的な回動範囲をおおまかに規制するフランジ状ストッパ部２７，２８を備えている。
【００１６】
また、上記解除ストローク調整部２３は、操作アーム１５とストライカアーム２２とのどちらか一方に設けられたスライド用長穴部３１と、他方に設けられたスライド体３２とを備えている。このスライド用長穴部３１は、ほぼ上記回転軸１１を中心とする円弧状を呈している。なお、スライド用長穴部３１は、上記円弧形状に近似した斜面などとしても良い。上記スライド体３２は、スライド用長穴部３１に沿ってスライド可能に嵌合されている。この場合、スライド用長穴部３１は操作アーム１５に形成され、スライド体３２はストライカアーム２２から突設されている。スライド体３２とストライカアーム２２とは一体成形されている。
【００１７】
更に、復帰用弾性部材２４は、ストライカアーム２２のフランジ状ストッパ部２８と操作アーム１５の対応する側縁部との間に介装されている。この場合、復帰用弾性部材２４は、樹脂バネで構成されている。ストライカアーム２２には、図７に示すように、復帰用弾性部材２４を取付けるための取付座３３が凹設形成されている。この復帰用弾性部材２４は、ロック解除時の蓋部３の操作力を一部調整する機能をも備えている。
【００１８】
次に、この実施例の作用について説明する。
【００１９】
図２の状態から図８、図９に示すように、蓋部３を僅かに押し下げることにより、操作アーム１５、ストライカ１３を介してラッチ装置１４が押圧される。この時、ラッチ装置１４がストライカ１３を把持すると、蓋部３にロックがかかる。そして、次に、蓋部３を僅かに押し下げると、ラッチ装置１４がストライカ１３に対する把持を解放し、蓋部３のロックが解除される。
【００２０】
この実施例によれば、操作アーム１５に、蓋部３のロック解除ストローク調整機構２１を設けることにより、操作アーム１５の回動角度によらずに蓋部３のロック解除ストロークを自在に設定することが可能となる。
【００２１】
より具体的には、蓋部３を手で押し下げると、操作アーム１５が回動され、これにより復帰用弾性部材２４の弾性力に抗して解除ストローク調整部２３が機能し、図４の状態から図１０の状態となるよう、操作アーム１５に対してストライカアーム２２を相対的に回動させることにより、ロック解除ストロークが調整される。この時、解除ストローク調整部２３は、図５の状態から図１１の状態となるよう、スライド用長穴部３１に対して、スライド体３２がスライドすることにより、操作アーム１５に対するストライカアーム２２の相対的な回動を許容する。
【００２２】
反対に、蓋部３から手を離すと、復帰用弾性部材２４が機能して、ストライカアーム２２が元の状態に復帰される。
【００２３】
以上により、操作アーム１５の回動角度によらずにロック解除ストロークを設定することができるようになるため、設計上の制約をなくすことができる。また、グローブボックスのような大型のものからドリンクホルダや灰皿などような小型のものまで、各種の開閉装置４に対して、容易にロック解除ストロークの設定を行うことが可能となる。更に、同一製品における製造上の誤差による蓋部３のロック解除ストロークのバラ付きを防止することが可能となる。
【００２４】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２５】
【図１】本発明の実施例にかかる開閉装置の斜視図である。
【図２】図１の側面図である。
【図３】図１の分解斜視図である。
【図４】図１の蓋部および操作アームの斜視図である。
【図５】図１のロック解除ストローク調整機構の拡大斜視図である。
【図６】図１のストライカアーム部分の斜視図である。
【図７】図６の復帰用弾性部材の拡大斜視図である。
【図８】ロック解除ストローク調整中の作動状態を示す図２と同様の側面図である。
【図９】図８に続く作動図である。
【図１０】図９の状態における図４と同様の拡大斜視図である。
【図１１】図９の状態における図５と同様の拡大斜視図である。
【符号の説明】
【００２６】
３    蓋部
１０  開閉装置本体部
１１  回転軸
１２  ロック部
１３  ストライカ
１４  ラッチ装置
１５  操作アーム
２１  ロック解除ストローク調整機構
【図１】
2007270478.tif 000003
【図２】
2007270478.tif 000004
【図３】
2007270478.tif 000005
【図４】
2007270478.tif 000006
【図５】
2007270478.tif 000007
【図６】
2007270478.tif 000008
【図７】
2007270478.tif 000009
【図８】
2007270478.tif 000010
【図９】
2007270478.tif 000011
【図１０】
2007270478.tif 000012
【図１１】
2007270478.tif 000013